(57)【要約】【課題】バキュームホースを下部まで容易に挿入することができる雨水貯留浸透槽用の構成部材及び雨水貯留浸透槽を得る。【解決手段】互いに隣り合って並設される構成部材２０は、湾曲部２２Ｃ同士が互いに対向して配置され、また、下段に配置される構成部材２０の湾曲部２２Ｃの上方に、上段に配置される構成部材２０の湾曲部２２Ｃが配置される。これにより、バキュームホース５０を湾曲部２２Ｃのガイド面１２２に沿って下部まで容易に挿入することができる。【選択図】図７
2007332607.tif 000002
【特許請求の範囲】
【請求項１】
先端部が開口部とされた筒状の側壁部と、
前記側壁部の基端部同士を連結する天板部と、
前記側壁部の一部であって、内向きに湾曲して前記基端部側から前記先端部側へ案内するガイド面を備えた湾曲部と、
を有することを特徴とする雨水貯留浸透槽用の構成部材。
【請求項２】
前記湾曲部は、前記基端部側に向かうに従い前記基端部側から前記天板部側へ向かう方向へ傾斜することを特徴とする請求項１記載の雨水貯留浸透槽用の構成部材。
【請求項３】
前記天板部の一部に溝板部を備え、前記溝板部に前記側壁部の先端部を嵌入可能な溝部が形成されたことを特徴とする請求項１又は請求項２に記載の雨水貯留浸透槽用の構成部材。
【請求項４】
請求項１から３のいずれか一項に記載の雨水貯留浸透槽用の構成部材が、互いに隣り合って複数個並設されると共に上下方向に積み重ねられ、下段に配置される前記構成部材の前記溝部に、上段に配置される前記構成部材の前記側壁部の先端部が嵌入され、下段に配置される前記構成部材の前記湾曲部の上方に、上段に配置される前記構成部材の前記湾曲部が配置されることを特徴とする雨水貯留浸透槽。
【請求項５】
互いに隣り合って並設される前記構成部材は、前記湾曲部同士が互いに対向して配置されることを特徴とする請求項４記載の雨水貯留浸透槽。
【発明の詳細な説明】
【技術分野】
【０００１】
本発明は、雨水を貯留又は地中に浸透させる等のために用いられる雨水貯留浸透槽用の構成部材及び雨水貯留浸透槽に関する。
【背景技術】
【０００２】
雨水貯留浸透槽においては、下部に堆積した砂や泥を除去するためのバキュームホースを挿入可能な構造となっているものがある（例えば、特許文献１参照）。このような構造では、開口部の形成された略板状の連結部材と支柱とが上下交互に連結された状態となっており、支柱は、円筒体とされて連結部材のストッパに支持されることで連通路を形成している。
【０００３】
この従来の雨水貯留浸透槽では、連通路に繋がる開口部からバキュームホースを挿入してもストッパに引っ掛かりやすく、また、連通路に繋がらない開口部からバキュームホースを挿入しても挿入途中で連絡部材の開口部周囲に引っ掛かりやすいので、下部まで挿入するのが困難であった。
【特許文献１】特開２００４−１９２０６公報
【発明の開示】
【発明が解決しようとする課題】
【０００４】
本発明は、上記事実を考慮して、バキュームホースを下部まで容易に挿入することができる雨水貯留浸透槽用の構成部材及び雨水貯留浸透槽を提供することを課題とする。
【課題を解決するための手段】
【０００５】
請求項１に記載する本発明の雨水貯留浸透槽用の構成部材は、先端部が開口部とされた筒状の側壁部と、前記側壁部の基端部同士を連結する天板部と、前記側壁部の一部であって、内向きに湾曲して前記基端部側から前記先端部側へ案内するガイド面を備えた湾曲部と、を有することを特徴とする。
【０００６】
雨水貯留浸透槽とは、少なくとも雨水を貯留又は地中に浸透させる槽をいい、具体的には、雨水を貯留する貯留槽、雨水を一次的に貯留した後に徐々に地中に浸透させる浸透槽、及び、貯留槽の機能と浸透槽の機能とを併せ持つ貯留浸透槽のすべてを含む（以下の記載（他の請求項を含む）において同じ）。
【０００７】
請求項１に記載する本発明の雨水貯留浸透槽用の構成部材によれば、隣り合って配置させる構成部材を複数段積み重ねて連結する場合、上段における構成部材の側壁部の先端部を下段における構成部材の天板部に支持させることができると共に、下段に配置される構成部材の湾曲部の上方に、上段に配置される構成部材の湾曲部を配置することができる。このようにして構成される雨水貯留浸透槽では、基端部側から先端部側へ案内するガイド面（湾曲部）に沿ってバキュームホースを下部まで容易に挿入することができる。
【０００８】
請求項２に記載する本発明の雨水貯留浸透槽用の構成部材は、請求項１記載の構成において、前記湾曲部は、前記基端部側に向かうに従い前記基端部側から前記天板部側へ向かう方向へ傾斜することを特徴とする。
【０００９】
請求項２に記載する本発明の雨水貯留浸透槽用の構成部材によれば、下段に配置される構成部材の湾曲部の上方に、上段に配置される構成部材の湾曲部を配置して、湾曲部に沿ってバキュームホースを挿入した場合、下段に配置される構成部材の天板部の端部や湾曲部の上部にバキュームホースが引っ掛かることがないので、バキュームホースを下部まで容易に挿入することができる。
【００１０】
請求項３に記載する本発明の雨水貯留浸透槽用の構成部材は、請求項１又は請求項２に記載の前記天板部の一部に溝板部を備え、前記溝板部に前記側壁部の先端部を嵌入可能な溝部が形成されたことを特徴とする。
【００１１】
請求項３に記載する本発明の雨水貯留浸透槽用の構成部材によれば、天板部における溝板部の溝部には、側壁部の先端部が嵌入可能となっているので、隣り合って配置させる構成部材を複数段積み重ねて連結する場合には、上段における構成部材の側壁部の先端部を下段における構成部材の溝部に嵌入することができる。これにより、水平荷重に対して、溝部と側壁部の先端部とが面接触しながら支持することになるので、湾曲部の位置ずれを抑えることができる。
【００１２】
請求項４に記載する本発明の雨水貯留浸透槽は、請求項１から３のいずれか一項に記載の雨水貯留浸透槽用の構成部材が、互いに隣り合って複数個並設されると共に上下方向に積み重ねられ、下段に配置される前記構成部材の前記溝部に、上段に配置される前記構成部材の前記側壁部の先端部が嵌入され、下段に配置される前記構成部材の前記湾曲部の上方に、上段に配置される前記構成部材の前記湾曲部が配置されることを特徴とする。
【００１３】
請求項４に記載する本発明の雨水貯留浸透槽によれば、水平荷重に対して、下段側の溝部と上段側の側壁部の先端部とが面接触しながら支持することになるので、湾曲部の位置ずれを抑えることができる。また、上下方向に積み重ねられ構成部材の湾曲部が上下に連続することで、基端部側から先端部側へ案内するガイド面に沿ってバキュームホースを下部まで容易に挿入することができる。
【００１４】
請求項５に記載する本発明の雨水貯留浸透槽は、請求項４記載の構成において、互いに隣り合って並設される前記構成部材は、前記湾曲部同士が互いに対向して配置されることを特徴とする。
【００１５】
請求項５に記載する本発明の雨水貯留浸透槽によれば、湾曲部同士が互いに対向して配置されるので、バキュームホースを挿入するための空間を大きく確保することができる。このため、バキュームホースを下部まで容易に挿入することが可能となる。
【発明の効果】
【００１６】
以上説明したように、本発明の雨水貯留浸透槽用の構成部材及び雨水貯留浸透槽によれば、バキュームホースを下部まで容易に挿入することができるという優れた効果を有する。
【発明を実施するための最良の形態】
【００１７】
本発明における雨水貯留浸透槽用の構成部材及び雨水貯留浸透槽の実施形態を図面に基づき説明する。
【００１８】
（雨水貯留浸透槽用の構成部材及び雨水貯留浸透槽の構成）
図１に示されるように、雨水貯留浸透槽１０は、地中Ｇに埋設されるものであり、設置状態では、保護マット１２を介してゴム製の遮水シート１４上に載置されており、側面下部が遮水シート１４によって覆われると共に、側面上部及び上面が透水シート１５によって覆われる。また、側面には、導入管１６及び排水管１８が接続される。
【００１９】
地中Ｇの雨水貯留浸透槽１０は、導入管１６によって集水した雨水を下部で貯留する一方、上部では一次的に貯留した後に徐々に地中Ｇに浸透させて排出するようになっており、河川への急激な雨水流入を防いでいる。また、雨水貯留浸透槽１０が満水に近い状態になった場合には、排水管１８を介して上部から排水するようになっている。
【００２０】
雨水貯留浸透槽１０は、図２に示される雨水貯留浸透槽用の構成部材（以下、単に「構成部材」という）２０、及び、図５に示される雨水貯留浸透槽用の補助部材（以下、単に「補助部材」という）４０による組立体であり、図１１に示されるように、構成部材２０及び補助部材４０が互いに隣接して複数個並設されると共に上下方向に積み重ねられながら連結されて形成される。
【００２１】
なお、図２に示される構成部材２０は、雨水貯留浸透槽１０の大部分を構成する標準サイズ（フルサイズ）であり、図５に示される補助部材４０は、雨水貯留浸透槽１０の側部に一部適用されるクオータサイズである。
【００２２】
図２及び図５に示される構成部材２０及び補助部材４０の材料には、樹脂材料が適用でき、加水分解しないものがよい。具体的には、ポリプロピレン（ＰＰ）、ポリエチレン（ＰＥ）（特に高密度ポリエチレン（ＨＤＰＥ））等のポリオレフィン系樹脂が化学的な安定性、機械的な強度、及び価格の面から好ましい。ここで、樹脂のメルトフローレート（ＭＦＲ）（ＪＩＳ  Ｋ７２１０）は、加工性及び機械的な強度を考慮して１０（ｇ／１０分）〜１５（ｇ／１０分）のものがよい。また、これらに充填剤としてカーボンブラックを１〜３％加えて耐光性を高めてもよい。なお、設置場所が高温になる場所ではないため、酸化防止剤は加えなくてもよい。
【００２３】
構成部材２０及び補助部材４０は、射出成形法によって中空の箱状に一体成形されている。構成部材２０及び補助部材４０の厚さは、均一であり、製品１個当たりの重量及び機械的な強度等を考慮して２ｍｍ〜３ｍｍとするのが好ましい。
【００２４】
図２及び図３に示されるように、標準サイズの構成部材２０は、枠状、すなわち、略四角筒状の側壁部２２、２４、及び、側壁部２２、２４の基端部２２Ａ、２４Ａ同士を連結する天板部２６を有する。側壁部２２、２４は、天板部２６の各短縁部２８（平面視で長手方向に略直角な方向を構成する外周縁部（湾曲周縁部２８Ａを含む））に繋がって互いに対向する短縁部２８側の側壁部２２と、天板部２６の各長縁部２９（平面視で長手方向を構成する外周縁部）に繋がって互いに対向する長縁部２９側の側壁部２４とを備える。
【００２５】
平面図である図３に示されるように、短縁部２８側の側壁部２２と長縁部２９側の側壁部２４とは、平面視で互いに略直角になっており、下側から見た斜視図である図４に示されるように、側壁部２２、２４の先端部としての側壁先端部２２Ｂ、２４Ｂが開口部２５とされる。この開口部２５の形状は、線対称形状とされ、本実施形態では、長手直角方向の寸法（直線距離）が５００ｍｍ、長手方向の寸法が１０００ｍｍ、すなわち、縦横比が１：２となっている。なお、図２に示される構成部材２０の高さ寸法は、５００ｍｍとされる。構成部材２０を以上のようなサイズの形状とすることで、施工時における作業効率を良好にすることができる。
【００２６】
また、図２に示されるように、側壁先端部２２Ｂ、２４Ｂは、補強等のために外向きにＪ字状に湾曲成形されている。但し、詳細後述する湾曲部２２Ｃにおける側壁先端部２２Ｂは、バキュームホース５０（図７参照）の挿入性を考慮して、折り返して湾曲させた先端部を湾曲部２２Ｃに接近させた構成としている。なお、雨水貯留浸透槽１０（図１参照）の設置時において、構成部材２０は、側壁先端部２２Ｂ、２４Ｂ側が下側となるように配置される。
【００２７】
側壁部２２、２４は、天板部２６に向かって僅かに寸法が小さくなる傾斜状とされており、側壁部２２、２４の外周面の下部には、上下方向に延びるリブ２３が複数（本実施形態では、短縁部２８側の側壁部２２に２個、長縁部２９側の側壁部２４に６個）形成されている。
【００２８】
図２及び図３に示されるように、側壁部２２、２４の基端部２２Ａ、２４Ａ同士を連結する天板部２６は、平面視での形状が線対称形状とされ、本実施形態では、縦横比が１：２となっている。
【００２９】
天板部２６は、構成部材２０の配置時に水平な上面を形成する複数（本実施形態では８個）の頂部３０Ａを備え、これら頂部３０Ａは、雨水貯留浸透槽１０（図１参照）の施工時には作業用足場を兼ねる。各頂部３０Ａには、雨水流通孔として複数（本実施形態では４個ずつ）の貫通孔３８が貫通形成されており、構成部材２０の設置時には雨水を流通させるための流通部とされる。
【００３０】
構成部材２０の設置時に上方側へ向けられる天板部２６の一部として、第１溝板部２６Ａ及び第２溝板部２６Ｂが設けられている。図３に示されるように、第１溝板部２６Ａに形成される第１溝部３１は、中心線３１Ｌによって天板部２６の短縁部２８を二等分して長縁部２９に略平行な方向に延びており、第２溝板部２６Ｂに形成される計３本の第２溝部３２は、各中心線３２Ｌによって天板部２６の長縁部２９を四等分して短縁部２８に略平行な方向に延びる。すなわち、第１溝部３１の中心線３１Ｌと第２溝部３２の各中心線３２Ｌとは、互いに直交する方向へ延びて互いに交わっている。
【００３１】
これらの第１、第２溝部３１、３２は、図４に示される側壁先端部２２Ｂ、２４Ｂを２枚嵌入可能な幅となっており、上段に隣接して配置される構成部材２０の連結用とされる。図２に示されるように、第１、第２溝部３１、３２の溝底面３０Ｂは、頂部３０Ａと段差によって区画され、構成部材２０の配置時に上方に向いた水平面を形成する。
【００３２】
図２及び図３に示されるように、第２溝部３２の長さ方向端部（第２溝部３２の長さ方向を矢印Ｘ方向で示す）と側壁部２４との連結部３４から側壁部２４の側壁先端部２４Ｂにかけて柱部３６が設けられている。柱部３６は、側壁部２４の一部を構成して、側壁部２４の内向きに凹む凹状とされ、連結部３４の中央部を挟んで両側に形成されている。図４に示されるように、柱部３６は、側壁先端部２４Ｂ側では底板部３７によって連結されている。
【００３３】
図２及び図３に示されるように、天板部２６の外面（構成部材２０の設置時に上方側へ向けられる面）には、第２溝部３２の側壁部２４寄り側、及び、第２溝部３２と第１溝部３１との交差部（天板部２６の中央の交差部を除く）に、平面視で略直角状に切り欠かれた切欠部３５がそれぞれ形成されている。これにより、切欠部３５は、平面視にて規則性のあるパターンとなっている。
【００３４】
図３に示されるように、平面視において、第１、第２溝部３１、３２、切欠部３５、及び、柱部３６は、両短縁部２８を二等分する二等分位置同士を結ぶ線（本実施形態では、中心線３１Ｌと重なる線）に対して線対称とされると共に、両長縁部２９を二等分する二等分位置同士を結ぶ線（本実施形態では、３本の中心線３２Ｌのうちの真中の中心線３２Ｌと重なる線）に対しても線対称とされる。
【００３５】
なお、天板部２６の内面（構成部材２０の設置時に下方側へ向けられる面）には、図４に示されるような板状の補強リブ３９が縦横に設けられている。また、図２に示されるように、側壁部２２、２４では、鉛直荷重に対する強度に影響が少ない部分に点検孔としての窓部２２Ｗ、２４Ｗが貫通形成されている。これらの窓部２２Ｗ、２４Ｗから雨水貯留浸透槽１０（図１参照）内の状態（土砂による目詰まりの有無等）を目視で点検することができるようになっている。
【００３６】
天板部２６の湾曲周縁部２８Ａの下方には、湾曲部２２Ｃが形成されて側壁部２２の一部を構成している。湾曲部２２Ｃは、側壁部２２の内向き（筒内側向き）に円弧状（半円状）に湾曲して基端部２２Ａ側から側壁先端部２２Ｂ側へ案内するガイド面１２２を備えており、バキュームホース５０（図７参照）の案内用とされている。ガイド面１２２には、摩擦抵抗を低減する表面処理を施してもよい。各構成部材２０に形成される湾曲部２２Ｃは、本実施形態では、２個であるので、施工時に足場となる部分の面積は、十分に確保される。
【００３７】
湾曲部２２Ｃは、基端部２２Ａ側に向かうに従い基端部２２Ａ側から天板部２６側へ向かう方向（内向き）へ傾斜している。このため、図３に示されるように、湾曲部２２Ｃの上部における半円の径は、湾曲部２２Ｃの下部における半円の径に比べて大きい。また、湾曲部２２Ｃの基端部２２Ａから天板部２６にかけては、Ｒ状に丸みを帯びている。
【００３８】
ここで、図６及び図７（模式図）に示されるように、構成部材２０が互いに隣り合って並設された状態では、湾曲部２２Ｃ同士が互いに対向して、すなわち、ガイド面１２２同士が互いに対向して配置されるようになっている。これにより、対向する湾曲部２２Ｃは、バキュームホース５０（図７参照）の挿入用としての略円柱状の（厳密には、下方へ向かうに従い若干先細り状となる）空間を形成する。
【００３９】
図５に示されるクオータサイズの補助部材４０は、高さ（図５の上下方向の寸法）が図２に示される標準サイズの構成部材２０と等しく、縦寸法及び横寸法は、いずれも標準サイズの構成部材２０の約１／２のサイズである。第１溝部３１に対応する溝部はなく、第２溝部３２に対応する溝部は、補助溝部４２が１本あるのみである。その他の構成については、標準サイズの構成部材２０とほぼ同様の構成であるので、同様の構成部については、同一符号を付して説明を省略する。
【００４０】
（雨水貯留浸透槽の形成手順及び作用）
次に、複数個の構成部材２０及び補助部材４０（図２及び図５参照）を互いに隣接して複数個並設させると共に上下方向に積み重ね、雨水貯留浸透槽１０（図１参照）を形成する手順、及び、上記実施形態の作用について、図６〜図１１を参照しながら説明する。なお、図９〜図１１では、雨水貯留浸透槽１０（図１参照）の設置場所のコーナー付近に配置される構成部材２０及び補助部材４０（図２及び図５参照）のみを図示し、他の図示を省略する。
【００４１】
まず、図９に示されるように、保護マット１２上に、複数個の構成部材２０を同じ向きに向けて（構成部材２０の長手方向が同一方向になるように）並設させる。これらの構成部材２０は、雨水貯留浸透槽１０（図１参照）を形成するために積み重ねられる構成部材２０の第１段（最下段）となる。ここで、互いに隣り合って並設される構成部材２０の湾曲部２２Ｃ同士は、互いに対向して配置される。
【００４２】
次に、図１０に示されるように、第１段（最下段）に配置される構成部材２０に対して長手方向の向きを９０°変えて第２段（上段）となる構成部材２０を積み重ねる。図６に示されるように、本実施形態では、第２段（上段）に配置される構成部材２０が、第１段（最下段）に配置される３個又は６個の構成部材２０に跨るように積み重ねられて配置される。
【００４３】
このとき、図９に示される第１段（最下段）に配置される構成部材２０の第１、第２溝部３１、３２に、図１０に示される第２段（上段）に配置されて互いに隣接する構成部材２０の側壁先端部２２Ｂ、２４Ｂ（図２参照）が２枚嵌入される。また、図８に示されるように、第１段（最下段）に配置される構成部材２０における第２溝部３２の切欠部３５（図２及び図９参照）内側に、第２段（上段）の構成部材２０の柱部３６の下部及び底板部３７が配置される。さらに、図６及び図７に示されるように、第１段（最下段）に配置される構成部材２０の湾曲部２２Ｃの上方に、第２段（上段）に配置される構成部材２０の湾曲部２２Ｃが配置されることになる。
【００４４】
標準サイズの構成部材２０を本実施形態のように積み重ねた場合、図１０に示される第２段（上段）には、第１段（最下段）で雨水貯留浸透槽１０（図１参照）の側部を構成する構成部材２０の上方に、細長の積み残し部分が発生するので、図１１に示されるように、この部分にクオータサイズの補助部材４０を配置する。
【００４５】
次に、図１１に示される第２段（下段）に配置される標準サイズの構成部材２０に対して、長手方向の向きを９０°変えて第３段（上段）となる標準サイズの構成部材２０を積み重ねる（図示省略）。第３段となる構成部材２０の配置向きは、第１段に配置された構成部材２０の配置向きと同様とされ、第１段に配置された構成部材２０と、第３段に配置される構成部材２０とは、平面視では同様の配置となる。
【００４６】
ここで、第３段（上段）で雨水貯留浸透槽１０（図１参照）の側部を構成する構成部材２０は、第２段（下段）に配置された標準サイズの構成部材２０（図６参照）及びクオータサイズの補助部材４０に跨るように積み重ねられることになる。
【００４７】
以下同様に、奇数段に配置される標準サイズの構成部材２０と偶数段に配置される標準サイズの構成部材２０とが、交互に長手方向の向きを９０°変えて積み重ねられ、偶数段に一部クオータサイズの補助部材４０を配置することで、雨水貯留浸透槽１０（図１参照）が形成される。
【００４８】
このように複数個の構成部材２０及び補助部材４０が組み立てられて形成される雨水貯留浸透槽１０（図１参照）では、図７の模式図に示されるように、ガイド面１２２を備えた湾曲部２２Ｃが複数組み合わされて上下方向に延びる略円筒状とされるので、バキュームホース５０をガイド面１２２に沿わせて下部まで容易に挿入することができる。
【００４９】
特に、本実施形態では、図２に示されるように、湾曲部２２Ｃが、基端部２２Ａ側に向かうに従い基端部２２Ａ側から天板部２６側へ向かう方向へ傾斜しているため、図７に示される湾曲部２２Ｃに沿ってバキュームホース５０を挿入した場合、下段に配置される構成部材２０の天板部２６の端部や湾曲部２２Ｃの上部にバキュームホース５０が引っ掛かることがないので、バキュームホース５０を下部まで容易に挿入することができる。
【００５０】
また、湾曲部２２Ｃ同士が互いに対向して配置されることで、バキュームホース５０を挿入するための空間を大きく確保することが可能となる。
【００５１】
また、構成部材２０及び補助部材４０を積み重ねた状態で、第１溝部３１の長さ方向端部付近の荷重を、湾曲部２２Ｃが支持することになり、高応力作用部を効果的に補強できると共に、鉛直荷重に対する破壊強度が高くなる。
【００５２】
さらに、水平荷重に対して、図２及び図５に示される第１、第２溝部３１、３２、補助溝部４２と、側壁先端部２２Ｂ、２４Ｂと、が広範囲で面接触しながら支持すると共に、柱部３６の下部及び底板部３７が切欠部３５に面接触しながら支持されることになるので、水平荷重に対する破壊強度が高くなると共に、湾曲部２２Ｃの位置ずれを抑えることができる。
【００５３】
さらにまた、図６に示されるように、上段に配置される構成部材２０が、下段に配置される３個又は６個の構成部材に跨るように積み重ねられるので、構成部材２０同士を互いに強く拘束させることができる。これにより、湾曲部２２Ｃは、所定位置に確実に保持されるので、バキュームホース５０の挿入容易性を維持することができる。
【００５４】
（実施形態の変形例等）
なお、上記の実施形態では、互いに隣り合って並設される構成部材２０は、湾曲部２２Ｃ同士が互いに対向して配置されるが、例えば、湾曲部同士を対向配置せず、湾曲部の形状を半円柱よりも円弧部の長い形状とし、その１個の湾曲部にバキュームホースを通す構成としてもよい。
【００５５】
また、上記の実施形態では、湾曲部２２Ｃにおける側壁先端部２２Ｂは、折り返して湾曲させた先端部を湾曲部２２Ｃに接近させた構成としているが、バキュームホース５０（図７参照）の挿入性を考慮して、湾曲部２２Ｃにおける側壁先端部２２Ｂを折り返さない構成としてもよい。
【００５６】
また、上記実施形態では、雨水貯留浸透槽１０は、構成部材２０及び補助部材４０が互いに隣接して複数個並設されると共に上下方向に積み重ねられながら連結されて形成されているが、構成部材同士が若干離れた状態で互いに隣り合って複数個並設されると共に上下方向に積み重ねられながら連結されて形成される構成としてもよい。
【００５７】
さらに、上記実施形態では、天板部２６の平面視での形状及び開口部２５の形状が、縦横比１：２の略長方形とされているが、他の縦横比の略長方形、又は、ハニカム形状を含む正多角形（正六角形、正八角形等）等のような他の線対称多角形等としてもよく、その天板部に複数本設けた溝部の各中心線が天板部のいずれかの辺に平行な方向に延びて互いに交わるようにしてもよい。
【００５８】
さらにまた、上記実施形態と同様の構成部材２０及び補助部材４０を用いて上記実施形態とは異なる積み重ね構造を適用してもよい。ここで、上記実施形態では、側壁先端部２２Ｂを第１、第２溝部３１、３２に嵌入させて上下の構成部材２０を連結しているが、構成部材とは別体の連結手段によって上下の構成部材を連結させる構成としてもよい。
【００５９】
なお、上記実施形態では、図１に示されるように、雨水貯留浸透槽１０の下部が遮水シート１４上によって覆われ、上部が透水シート１５によって覆われており、下部で貯留機能を果たし、上部で浸透機能を果たす場合について説明したが、雨水貯留浸透槽１０の全体を遮水シート１４で覆って貯留槽としたり、雨水貯留浸透槽１０の全体を透水シート１５で覆って浸透槽としたりしてもよい。
【図面の簡単な説明】
【００６０】
【図１】本発明の実施形態に係る雨水貯留浸透槽を地中に埋設した状態を示す概略断面図である。
【図２】本発明の実施形態に係る雨水貯留浸透槽用の構成部材（標準サイズ）を示す斜視図である。
【図３】本発明の実施形態に係る雨水貯留浸透槽用の構成部材（標準サイズ）を示す平面図である。
【図４】本発明の実施形態に係る雨水貯留浸透槽用の構成部材（標準サイズ）を下側から見た状態で示す斜視図である。
【図５】本発明の実施形態における補助部材を示す斜視図である。
【図６】本発明の実施形態に係る雨水貯留浸透槽用の構成部材を積み重ねた状態を示す平面図である。
【図７】本発明の実施形態に係る雨水貯留浸透槽用の構成部材を積み重ねた状態を示す模式図である。
【図８】本発明の実施形態に係る雨水貯留浸透槽用の構成部材（標準サイズ）の積み重ね状態を示す斜視図である。
【図９】本発明の実施形態に係る雨水貯留浸透槽用の構成部材を保護マット上に複数個並設させた状態を示す斜視図である。
【図１０】本発明の実施形態に係る雨水貯留浸透槽用の構成部材（標準サイズ）を第１段に配置される構成部材の上に積み重ねた状態を示す斜視図である。
【図１１】本発明の実施形態における補助部材を第１段に配置される構成部材の上に積み重ねた状態を示す斜視図である。
【符号の説明】
【００６１】
１０    雨水貯留浸透槽
２０    構成部材（雨水貯留浸透槽用の構成部材）
２２    側壁部
２２Ａ  基端部
２２Ｂ  側壁先端部（先端部）
２２Ｃ  湾曲部
２４    側壁部
２４Ａ  基端部
２４Ｂ  側壁先端部（先端部）
２６    天板部
２６Ａ  第１溝板部（溝板部）
２６Ｂ  第２溝板部（溝板部）
３１    第１溝部（溝部）
３２    第２溝部（溝部）
１２２  ガイド面
【図１】
2007332607.tif 000003
【図２】
2007332607.tif 000004
【図３】
2007332607.tif 000005
【図４】
2007332607.tif 000006
【図５】
2007332607.tif 000007
【図６】
2007332607.tif 000008
【図７】
2007332607.tif 000009
【図８】
2007332607.tif 000010
【図９】
2007332607.tif 000011
【図１０】
2007332607.tif 000012
【図１１】
2007332607.tif 000013